(57)【要約】      （修正有）【課題】穴径の異なる車両用のドリンクホルダに対して容易かつ安定した保持力で着脱可能なドリンクホルダのアダプタ構造を提供する。【解決手段】ドリンクホルダのアダプタ構造１０は、車両用のドリンクホルダに装着可能とし、ドリンクホルダの内部で径方向に伸縮して着脱可能な装着部２０を備え、装着部２０は、ドリンクホルダに装着可能な容器を縦方向に二分割した半割構造の第１及び第２パーツ２２、２４からなり、第１及び第２パーツ２２、２４の間にドリンクホルダの内部で拡径方向に付勢して固定可能な付勢部を設けた。【選択図】図１
0003211596.tif 000002
【実用新案登録請求の範囲】
【請求項１】
車両用のドリンクホルダに装着可能とし、前記ドリンクホルダの内部で径方向に伸縮して着脱可能な装着部を備えたことを特徴とするドリンクホルダのアダプタ構造。
【請求項２】
前記装着部は、前記ドリンクホルダに装着可能な容器を縦方向に二分割した半割構造の第１及び第２パーツからなり、前記第１及び第２パーツの間に前記ドリンクホルダの内部で拡径方向に付勢して固定可能な付勢部を設けたことを特徴とする請求項１に記載のドリンクホルダのアダプタ構造。
【請求項３】
前記装着部は、外周面から前記ドリンクホルダに向けて水平方向に突出する弾性凸部を設けたことを特徴とする請求項１又は２に記載のドリンクホルダのアダプタ構造。
【請求項４】
前記装着部は、上面に複数のドリンクを装着可能なドリンク本体を設けたことを特徴とする請求項１ないし３のいずれか１に記載のドリンクホルダのアダプタ構造。
【請求項５】
前記装着部と前記ドリンク本体の間に、前記装着部を起点として前記ドリンク本体が前記装着部の上面上で揺動可能なスイング部を備えたことを特徴とする請求項４に記載のドリンクホルダのアダプタ構造。
【請求項６】
前記装着部と前記ドリンク本体の間に、前記装着部を起点として前記ドリンク本体が前記装着部の上面上で進退移動可能なスライド部を備えたことを特徴とする請求項４又は５に記載のドリンクホルダのアダプタ構造。
【考案の詳細な説明】
【技術分野】
【０００１】
本考案は、車両用のドリンクホルダに着脱可能なドリンクホルダのアダプタ構造に関する。
【背景技術】
【０００２】
車両用のドリンクホルダは、ペットボトル、カップなどを保持するホルダである。
特許文献１に開示のアダプタ構造は、径の大きいドリンクホルダにそれよりも小径のカップを挿入した際の支持力を向上させるために、アダプタ構造の側面の内側に突出する複数の凸ガイドを設け、この凸ガイドの外部凹溝に摩擦突起を形成している。
特許文献２に開示のアタッチメントは、リアコンソールの缶ホルダに、ユーザの好みに応じて小物入れなどの機能を選択可能なアタッチメントを取り付けている。
【先行技術文献】
【特許文献】
【０００３】
【特許文献１】特許第４１４５３１８号公報
【特許文献２】特開平５−１３９１９８号公報
【考案の概要】
【考案が解決しようとする課題】
【０００４】
特許文献１に開示の技術によれば、カップの支持力を向上させることができるが、ドリンクホルダとほぼ同じ径のアダプタ構造でなければ凸ガイド及び摩擦突起が機能しないため、取り付け対象となるドリンクホルダの選択幅が狭く、極めて限定的となっていた。
【０００５】
特許文献２に開示の技術によれば、アタッチメントの機能によりカップを収容する機能とは異なった機能が発揮されるが、取り付け対象となる缶ホルダの穴内に溝を形成し、この溝に嵌め合う突起をスタンドに形成した嵌め合い構造を採用している。このため、取り付け対象となる缶ホルダの選択幅が狭く、極めて限定的となっていた。
【０００６】
上記従来技術の問題点に鑑み本考案は、穴径の異なる車両用のドリンクホルダに対して容易かつ安定した保持力で着脱可能なドリンクホルダのアダプタ構造を提供することを目的としている。
【課題を解決するための手段】
【０００７】
上記課題を解決するための第１の手段として、本考案は、車両用のドリンクホルダに装着可能とし、前記ドリンクホルダの内部で径方向に伸縮して着脱可能な装着部を備えたことを特徴とするドリンクホルダのアダプタ構造を提供することにある。
上記第１の手段によれば、ドリンクホルダの径変化に対してアダプタ構造を容易かつ安定した保持力で取り付け又は取り外すことができる。
【０００８】
上記課題を解決するための第２の手段として、本考案は、第１の手段において、前記装着部は、前記ドリンクホルダに装着可能な容器を縦方向に二分割した半割構造の第１及び第２パーツからなり、前記第１及び第２パーツの間に前記ドリンクホルダの内部で拡径方向に付勢して固定可能な付勢部を設けたことを特徴とするドリンクホルダのアダプタ構造を提供することにある。
上記第２の手段によれば、ドリンクホルダの径変化に対して確実にアダプタ構造を固定することができる。
【０００９】
上記課題を解決するための第３の手段として、本考案は、第１又は第２の手段において、前記装着部は、外周面から前記ドリンクホルダに向けて突出する弾性凸部を設けたことを特徴とするドリンクホルダのアダプタ構造を提供することにある。
上記第３の手段によれば、ドリンクホルダの径変化に対して弾性変形によってドリンクホルダを傷つけることなく、確実にアダプタ構造を固定することができる。
【００１０】
上記課題を解決するための第４の手段として、本考案は、前記第１ないし第３のいずれか１に記載の手段において、前記装着部は、上面に複数のドリンクを装着可能なドリンク本体を設けたことを特徴とする請求項１ないし３のいずれか１に記載のドリンクホルダのアダプタ構造を提供することにある。
上記第４の手段によれば、単一のドリンクホルダに対して複数のドリンクを保持することができる。
【００１１】
上記課題を解決するための第５の手段として、本考案は、第４の手段において、前記装着部と前記ドリンク本体の間に、前記装着部を起点として前記ドリンク本体が前記装着部の上面上で揺動可能なスイング部を備えたことを特徴とするドリンクホルダのアダプタ構造を提供することにある。
上記第５の手段によれば、ドリンク本体の位置を任意の揺動方向に移動させて、車両物品との干渉、搭乗者との接触を回避できる使用者の好みの位置に調整できる。
【００１２】
上記課題を解決するための第６の手段として、本考案は、第４又は第５の手段において、前記装着部と前記ドリンク本体の間に、前記装着部を起点として前記ドリンク本体が前記装着部の上面上で進退移動可能なスライド部を備えたことを特徴とするドリンクホルダのアダプタ構造を提供することにある。
上記第６の手段によれば、ドリンク本体の位置を任意の進退方向に移動させて、車両物品との干渉、搭乗者との接触を回避できる使用者の好みの位置に調整できる。
【考案の効果】
【００１３】
本考案によれば、１つのドリンクホルダに対して複数のドリンクホルダを容易かつ安定した保持力で取り付け又は取り外すことができる。
またドリンクホルダの径変化に応じて最適な径長さに変更できるため、取り付け対象となるドリンクホルダの選択幅を広げることができる。
【００１４】
またドリンクホルダに所定の付勢力又は弾性反力で取り付けているため、車両の振動、搭乗者との接触等によりドリンクホルダから脱落することを確実に防止できる。
さらにドリンクホルダに装着した後、ドリンク本体の位置を任意の方向、例えば、進退方向、揺動方向に移動させて、車両物品との干渉、搭乗者との接触を回避できる使用者の好みの位置に調整できる。
【図面の簡単な説明】
【００１５】
【図１】本考案のドリンクホルダのアダプタ構造の斜視図である。
【図２】本考案のドリンクホルダのアダプタ構造の断面図である。
【図３】ドリンクホルダのアダプタ構造のスイング動作の説明図である。
【図４】本考案のドリンクホルダのアダプタ構造を車両のドリンクホルダへ装着した図である。
【考案を実施するための形態】
【００１６】
本考案のドリンクホルダのアダプタ構造の実施形態を添付の図面を参照しながら、以下詳細に説明する。
【００１７】
［ドリンクホルダのアダプタ構造１０］
図１は本考案のドリンクホルダのアダプタ構造の斜視図である。図２は本考案のドリンクホルダのアダプタ構造の断面図である。図示のように本考案のドリンクホルダのアダプタ構造１０は、装着部２０と、付勢部３０、弾性凸部４０、ドリンク本体５０、スイング部６０、スライド部７０を有している。
【００１８】
［装着部２０］
装着部２０は、第１パーツ２２及び第２パーツ２４からなる。第１及び第２パーツ２２，２４は、容器を縦方向に二分割した半割構造を採用し、組み合わせるとドリンクホルダに装着可能な容器状となる。また第１及び第２パーツ２２，２４は、内部構造を水平方向に上下二分割した構造であり、容器の径方向にスライド可能な構成を採用している。本実施形態の装着部２０のスライド長は、一例として、数十ｍｍに設定している。
【００１９】
［付勢部３０］
付勢部３０は、第１及び第２パーツ２２，２４の上下二分割した内部構造に取り付けている。本実施形態の付勢部３０は、コイルばねを採用し、ばねの一端を第１パーツ２２に固定し、ばねの他端を第２パーツ２４に固定している。このような構成の付勢部３０は、第１及び第２パーツ２２，２４を互いに離間する方向、換言するとドリンクホルダの拡径方向に付勢している。
【００２０】
［弾性凸部４０］
弾性凸部４０は、ドリンクホルダと対向する装着部２０の外表面に形成している。弾性凸部４０は、材質にゴム、プラスチック樹脂等の弾性部材を採用し、装着部２０の外表面からドリンクホルダに向けて水平方向（径方向）に所定の間隔（等間隔）を開けて複数突出させている。このような弾性凸部４０は、装着部２０の外表面の上下方向にひだ状に形成されている。
【００２１】
［ドリンク本体５０］
ドリンク本体５０は、装着部２０の上面に後述するスイング部６０とスライド部７０を介して取り付けている。ドリンク本体５０は、複数のドリンク（本実施形態では２つのドリンク）を並べて保持可能なホルダ５２を備えている。ホルダ５２は、保持する容器の外周から内部中心に向けて付勢するガイド５４が容器を中心として放射状に複数形成されている。
【００２２】
［スイング部６０］
スイング部６０は、装着部２０とドリンク本体５０の間であって、装着部２０の上面に取り付けている。スイング部６０は平面視で液滴形状の固定プレート６２と可動プレート６４を上下に積層した構造である。固定プレート６２は第１及び第２パーツ２２，２４のいずれか一方の上面に固定している。仮に固定プレート６２を第１パーツ２２の上面に固定した場合、第２パーツ２４は固定プレート６２の下面に沿って水平方向にスライド移動できる。可動プレート６４は、後述する回転軸６６を介して固定プレート６２に接続している。可動プレート６４は上面に後述するスライド部７０を備えている。固定プレート６２及び可動プレート６４は、一端に軸心が垂直方向に沿った回転軸６６を備えている。
図３はドリンクホルダのアダプタ構造のスイング動作の説明図である。このような構成のスイング部６０は、装着部２０側の固定プレート６２に対して、回転軸６６の軸回りをドリンク本体５０側の可動プレート６４が揺動可能となる。従って使用者の好みの位置にドリンク本体５０をスイング移動させることができる。またスイング部６０は固定プレート６２又は可動プレート６４のいずれか一方に回転軸を中心とする扇状のレール（不図示）と、いずれか他方にこのレールに嵌合する係合部（不図示）の嵌め合い構造を採用し、係合部の凸部がレールの凹凸の任意の箇所の凹部に嵌ることにより固定できる。
【００２３】
［スライド部７０］
スライド部７０は、装着部２０とドリンク本体５０の間であって、ドリンク本体５０の下面に取り付けている。スライド部７０は、レール７２と係合部７４からなる。レール７２はドリンク本体５０の長手方向に沿って下面に取り付けている。係合部７４は、可動プレート６４の上面に取り付けている。係合部７４は、レール７２に対して嵌め合い構造を採用しており、レール７２の長手方向に沿ってスライド移動する。またレール７２には長手方向に沿って凹凸７３が形成されており、係合部７４の凸部７５が凹凸７３の任意の箇所の凹部に嵌ることにより固定できる。
【００２４】
［作用］
上記構成による本考案のドリンクホルダのアダプタ構造の作用について、以下説明する。
図４は本考案のドリンクホルダのアダプタ構造を車両のドリンクホルダへ装着した図である。図示のように本考案のドリンクホルダのアダプタ構造１０は、車内のインストルメントパネル（図４）、コンソールボックスに設けられているドリンクホルダ１に装着可能である。
装着の際、まず、片手又は両手で掴んで装着部２０の第１及び第２パーツ２２，２４を中心に向けて押し込む。そして、この状態を保持しながら、装着部２０をドリンクホルダ１へ挿入する。挿入後は、片手又は両手を装着部２０から離すと、ドリンクホルダ１の拡径方向に付勢する付勢部３０により、装着部２０の第１及び第２パーツ２２，２４の外表面がドリンクホルダ１の内周面に押し付けられる。このとき、第１及び第２パーツ２２，２４の外周面に設けた弾性凸部４０が内周面に押し当てられて変形し、装着部２０をドリンクホルダ１に確実に固定できる。
ドリンクホルダのアダプタ構造１０をインストルメントパネルに取り付けた場合、各種ボタンの操作の際にドリンク本体が邪魔になったり、コンソールボックスに取り付けた場合、使用者の身体に接触して邪魔になったりすることがある。この場合、ドリンク本体５０をスイング部６０により揺動移動させたり、スライド部７０により進退移動させるなどして、使用者の好みの任意位置にドリンク本体５０を移動させた後、固定することができる。
【００２５】
このような本考案のドリンクホルダのアダプタ構造によれば、１つのドリンクホルダに対して複数のドリンクホルダを容易かつ安定した保持力で取り付け又は取り外すことができる。
またドリンクホルダの径変化に応じて、装着部のスライド長が数十ミリの範囲内で最適な径長さに変更できるため、取り付け対象となるドリンクホルダの選択幅を広げることができる。
またドリンクホルダに所定の付勢力又は弾性反力で取り付けているため、車両の振動、搭乗者との接触等によりドリンクホルダから脱落することを確実に防止できる。
さらにドリンクホルダに装着した後、ドリンク本体の位置を任意の方向、例えば、進退方向、揺動方向に移動させて、車両物品又は操作ボタンとの干渉、搭乗者との接触を回避できる使用者の好みの位置に調整できる。
【符号の説明】
【００２６】
１………ドリンクホルダ、１０………ドリンクホルダのアダプタ構造、２０………装着部、２２………第１パーツ、２４………第２パーツ、３０………付勢部、４０………弾性凸部、５０………ドリンクホルダ、５２………ホルダ、５４………ガイド、６０………スイング部、６２………固定プレート、６４………可動プレート、６６………回転軸、７０………スライド部、７２………レール、７３………凹凸、７４………係合部、７５………凸部。
【図１】
0003211596.tif 000003
【図２】
0003211596.tif 000004
【図３】
0003211596.tif 000005
【図４】
0003211596.tif 000006